(57)【要約】【課題】  ２度も容器全体を倒立させずに計量や排出が可能であって、かつ、計量する量を変えることができる計量キャップを得ること。【解決手段】  粉末あるいは粒体を収納する容器に接合するキャップであって、少なくとも計量部（２）と蓋（３）からなると共に、計量部が計量部周縁（２２）と供給口（２１）とを備え、計量部は椀状で、計量部周縁の中央に筒状の上記供給口が配置し、これらが下部で接続され、かつ、計量部周縁の上面を開閉自在に蓋が密封し、供給口は下面が開いて容器本体の開口部を着脱可能に構成され、かつ、この下面に容器本体の開口部（１１）を接合して内容物を容器本体からキャップに供給する機能を有しており、供給口の下面に容器本体の開口部を接合した時、供給口周縁の高さが容器本体の開口部周縁より高い位置にあることを特徴とする計量キャップ（２０）。【選択図】図１
2016094203.tif 000002
【特許請求の範囲】
【請求項１】
粉末あるいは粒体を収納する容器に接合するキャップであって、
少なくとも計量部と蓋からなると共に、計量部が計量部周縁と供給口とを備えて構成されており、
計量部は椀状であり、この計量部周縁の中央に筒状の上記供給口が配置されていて、
この両者が下部で接続されており、かつ、計量部周縁の上面を開閉自在に前記蓋が密封しており、
供給口はその下面が開いていて、この下面に容器本体の開口部を着脱可能に構成されており、かつ、この下面に容器本体の開口部を接合することにより、内容物を容器本体からキャップに供給する機能を有しており、
供給口の下面に容器本体の開口部を接合した時、供給口周縁の高さが容器本体の開口部周縁より高い位置にあることを特徴とする計量キャップ。
【請求項２】
計量部の供給口周縁高さは、計量部周縁よりも低いことを特徴とする請求項１に記載の計量キャップ。
【請求項３】
計量部は、少なくとも外周が透視可能であることを特徴とする請求項２に記載の計量キャップ。
【請求項４】
計量部は、外周囲に計量目盛りを設けたことを特徴とする請求項２又は３に記載の計量キャップ。
【請求項５】
蓋が計量部周縁にヒンジで開閉可能に接合していることを特徴とする請求項２〜４のいずれかに記載の計量キャップ。
【請求項６】
少なくとも蓋の一部が反転し、キャップの容積を可変できることを特徴とする請求項１に記載の計量キャップ。
【請求項７】
計量部の供給口高さは、開口部周縁よりも高いことを特徴とする請求項６に記載の計量キャップ。
【請求項８】
反転する内壁の一部が供給口、あるいは容器の開口部に当接し、計量部が閉鎖可能であることを特徴とする請求項６又は７に記載の計量キャップ。
【請求項９】
蓋と計量部を結合したことを特徴とする請求項６〜８のいずれかに記載の計量キャップ。
【発明の詳細な説明】
【技術分野】
【０００１】
本発明は、砂糖、胡椒、塩、粉末コーヒー、粉末ココア、粉末調味料などの粉体や粒体を収納する容器に用いるキャップで、簡単に計量することが可能な計量キャップに関する。
【背景技術】
【０００２】
砂糖、胡椒、塩、粉末コーヒー、粉末ココア、粉末調味料など、粉体や粒体を収納する容器に用いるキャップは、単に小さな穴を開けた中栓を内部に入れ、キャップは液体を収納するキャップと大きな違いは無かった。
しかし、ふんだんに使用される粉体や粒体を計量する場合、小さじや大さじなどの計量スプーンでいちいち計量することは面倒であり、しかも、液体と違って、計量の誤差が出易い問題がある。
【０００３】
以上の問題に対し、特許文献１では、
口頸部を起立する容器体と、上記口頸部内面へ嵌合させた計量栓とからなり、該計量栓は、上記口頸部の上端面へ係合させたフランジ状頂壁内周縁から口頸部内面へ嵌合させて嵌着筒を垂下し、該嵌着筒下端から内向きフランジを介して上方小径のテーパ状筒を起立する固定筒と、上記フランジ状頂壁後面に肉薄ヒンジを介して開閉可能に付設され、かつ上記フランジ状頂壁上面に載置されて上記固定筒上面を閉塞する頂板の外周部下面から、嵌着筒の上部内面へ着脱自在に嵌合させて係止筒を、かつ上記テーパ状筒上方の頂板部分下面からテーパ状筒上端部を下部内へ遊挿させて計量筒を、それぞれ垂下し、かつ上記係止筒と計量筒との間の頂板部分には、略等間隔に小連結部分を複数残して収納物排出孔を穿設した回動部材とで形成したことを特徴とする定量振出し容器を提案している。
【０００４】
しかし、この定量振出し容器は、容器を一旦倒立状態にし、排出と計量部への充填を同時に行い、それから直立状態に戻して次に排出する粉量を計量する構造で、一定量しか出すことができない。
しかも、確実に計量するには、一旦容器全体を倒立させ、その後正立させ、かつ、再度倒立させる必要があり、容量が大きく、重い内容物の場合、かなり面倒である。
さらに、完全な倒立状態にすれば計量部へ充填されるが、完全に倒立しなくても、排出がされれば、計量部への充填が不十分であっても、使用者には計量の状態を認識でき難く、計量が安定しない問題があった。
【先行技術文献】
【特許文献】
【０００５】
【特許文献１】特許第３５３７９３１号公報
【発明の概要】
【発明が解決しようとする課題】
【０００６】
上記問題に鑑みて、２度も容器全体を倒立させずに計量や排出が可能であって、かつ、計量する量を変えることができる計量キャップを得ることが、本発明の課題である。
【課題を解決するための手段】
【０００７】
本発明の請求項１の計量キャップは、
粉末あるいは粒体を収納する容器に接合するキャップであって、
少なくとも計量部と蓋からなると共に、計量部が計量部周縁と供給口とを備えて構成されており、
計量部は椀状であり、この計量部周縁の中央に筒状の上記供給口が配置されていて、
この両者が下部で接続されており、かつ、計量部周縁の上面を開閉自在に前記蓋が密封しており、
供給口はその下面が開いていて、この下面に容器本体の開口部を着脱可能に構成されており、かつ、この下面に容器本体の開口部を接合することにより、内容物を容器本体からキャップに供給する機能を有しており、
供給口の下面に容器本体の開口部を接合した時、供給口周縁の高さが容器本体の開口部周縁より高い位置にあることを特徴とする計量キャップである。
【０００８】
また、本発明の請求項２の計量キャップは、計量部の供給口周縁高さは、計量部周縁よりも低いことを特徴とする請求項１に記載の計量キャップである。
【０００９】
また、本発明の請求項３の計量キャップは、計量部は、少なくとも外周が透視可能であることを特徴とする請求項２に記載の計量キャップである。
【００１０】
また、本発明の請求項４の計量キャップは、計量部は、外周囲に計量目盛りを設けたことを特徴とする請求項２又は３に記載の計量キャップである。
【００１１】
また、本発明の請求項５の計量キャップは、蓋が計量部周縁にヒンジで開閉可能に接合していることを特徴とする請求項２〜４のいずれかに記載の計量キャップである。
【００１２】
また、本発明の請求項６の計量キャップは、少なくとも蓋の一部が反転し、キャップの容積を可変できることを特徴とする請求項１に記載の計量キャップである。
【００１３】
また、本発明の請求項７の計量キャップは、計量部の供給口高さは、開口部周縁よりも高いことを特徴とする請求項６に記載の計量キャップである。
【００１４】
また、本発明の請求項８の計量キャップは、反転する内壁の一部が供給口、あるいは容器の開口部に当接し、計量部が閉鎖可能であることを特徴とする請求項６又は７に記載の計量キャップである。
【００１５】
また、本発明の請求項９の計量キャップは、蓋と計量部を結合したことを特徴とする請求項６〜８のいずれかに記載の計量キャップである。
【発明の効果】
【００１６】
本発明の計量キャップは、単に一度容器全体を倒立させてから正立させるだけで計量でき、そのままキャップを外して、キャップ内部の内容物だけを排出できるので、容量が大きな容器であっても、手間が少なく、計量や排出が可能である。その上、内容物を確認しながら計量できるので、排出量を調整し易い。
さらに、蓋が反転して容量を可変することによって、キャップ内部から内容物を排出し易いなど、優れた計量キャップである。
【図面の簡単な説明】
【００１７】
【図１】本発明の計量キャップの実施形態１において、内容物を計量する前の状態と、内容物を計量部に充填中の状態を示す縦断面図である。
【図２】本発明の計量キャップの実施形態１で、計量部に充填した内容物を計量する状態と、計量した内容物を排出している状態を示す縦断面図である。
【図３】本発明の計量キャップの実施形態１において、計量キャップを容器から分離させた状態を示す斜視図である。
【図４】本発明の計量キャップの実施形態２において、内容物を計量部に充填中の状態と、計量の状態を示す縦断面図である。
【図５】本発明の計量キャップの実施形態２において、内容物を計量後、弾性キャップで開口部を塞いだ状態と、計量キャップ全体を容器から外す状態を示す縦断面図である。
【図６】本発明の計量キャップの実施形態２において、内容物を計量した計量キャップ全体を容器から外した後、計量キャップの上下を反転させ、計量キャップ内部の内容物をお湯の中で振り出している状態を示す縦断面図である。
【発明を実施するための形態】
【００１８】
以下、本発明の計量キャップにおける実施の形態例について、図を用いて詳細に説明する。
図１は、実施形態１における計量キャップを容器本体１に嵌合した図で、図１−１は、内容物を計量する前の、容器開口部１１と、計量部２と蓋３との位置関係を示す縦断面図である。
本発明の計量キャップ２０は、計量部２と蓋３とからなる。
計量部２は、筒状の計量部周縁２２を有しており、また、この計量部周縁２２の中央に筒状の供給口２１を有しており、これら計量部周縁２２と供給口２１とは、その下部で接続されている。また、蓋３は計量部周縁２２の上面を開閉自在に配置されている。図１−１は内容物計量前の縦断面図で、蓋３は計量部周縁２２の上面を密封している。そして、これら計量部周縁２２、供給口２１及び蓋３で囲まれた空間が計量領域２００である。
筒状供給口２１の下面は開いており、容器本体１の開口部１１をこの筒状供給口２１の下面に差し込み、両者を接合している。これら両者を接合するため、供給口２１の下方内面にはネジ突起やネジ凹部あるいは嵌合突起が設けられており、これらを使用して、容器本体１と計量部２とは脱着可能に接合されている。なお、後述するように、容器本体１に計量部２を接合したままこの両者を逆さに倒すことで、この開口部１１と筒状供給口２１とを通して内容物を計量領域２００に充填することができる。
また、供給口２１の上端は、計量部周縁２２の高さよりも低く設定されていると共に、蓋３の中央部をドーム状の屋根３３として、両者の間に隙間を設けている。
蓋３は、下方に計量部３と嵌合して密閉するインナーリング３１を有し、外周周縁一端に計量部と係合するヒンジ３０が設けられ、かつ、外周周縁の他端には鍔３２が設けられている。さらに、蓋３中央に供給口２１を塞がないように突起したドーム状の屋根３３を設けている。
計量部２の外周には計量目盛り２３が付けてある。図のように計量目盛りは彫刻であってもよいが、印刷であっても、シボ加工であってもかまわない。もちろん、計量数字を彫刻したり、印刷したりしてもよい。
【００１９】
図１−２は、内容物を計量部に内容物４を充填中の、容器開口部１１と、計量部２と蓋３との位置関係を示す縦断面図である。
計量キャップ２０と容器本体１を嵌合させたまま、全体を逆さに倒して、計量キャップ２０に内容物４を充填している。
内容物４は、容器本体１から開口部１１と供給口２１を通り、そのまま、計量部２と蓋３とで形成される計量領域２００に充填される。
供給口２１は蓋３に設けられたドーム状の屋根３３によって一定の隙間が設けられているので、内容物４の粉体や粒体が流れても、直ぐには止まらず、計量領域２００の供給周縁部２１１の高さまで充填は続く。
しかし、内容物４は供給周縁部２１１の高さまで充填されると、粉体や粒体の抵抗にあって、充填が止まる。
【００２０】
図２−１は、内容物４を充填した容器全体を正立させた状態を示す。
計量キャップ２０に充填された内容物４は、重力によって計量部２下側に集まる。
この時、容器全体を振ることで、供給周縁部２１１よりも高く内容物を振り上げ、計量し
た内容物４を容器１に戻して、計量部の周囲に設けられた目盛り２３に合わせた量に調整することが出来る。この為、計量部は内容物の状態が見えるように、透明、もしくは半透明にして、透視可能にしておくことが良い。もちろん、全体が透明であれば、充填時の内容物の状況も見やすく、スムースに計量、排出作業が可能である。
また、この段階で計量するので、内容物が外部にこぼれる恐れも無く、例えば、風が吹いている所でも、舞い上がらず、安心して、確実に計量できる。
なお、この時、供給周縁部２１１を計量部周縁２２より充分低くしておく必要がある。もし、計量部周縁２２より、供給周縁部２１１が高いと、計量される容量が著しく少なくなってしまう問題や、次工程で蓋を開けた時に、計量部周縁２２から内容物がこぼれる恐れもある。
計量するには、計量目盛２３を確認し、多いようだったら、容器全体を振って、計量位置まで内容物の量を調整する。
【００２１】
図２−２は、計量し終わった内容物４を、計量キャップ２０から排出する方法を示している。
まず、計量し終わった計量キャップ２０は、嵌合している容器本体１の開口部１１から外す。
次に、鍔３２を引き上げて蓋３を開ける。蓋３と計量部２はヒンジ３０で繋がっているので、ヒンジ３０を支点にして開けるので、計量部２の上面を全開させることが出来る。この為、計量部２を傾ければ、容易に内容物４は排出することが出来る。
計量キャップから内容物を排出する時、計量キャップ２０は、容器本体１の開口部１１から外されているので、たとえ、容器の容量が大きく、内容物も比重が大きくても、計量キャップ２０と計量された内容物だけなので、重量も小さく、容器全体を傾けるのとは違い、簡単に排出が可能である。
排出し終わった計量キャップ２０は、そのまま、開口部１１に嵌め直して、再度計量しても良いし、あるいは、蓋３を嵌めて、内容物を保存しても問題が無い。
【００２２】
図３は、以上の実施形態１の斜視図で、蓋３が付いたコップ状の計量キャップ２０になっているので、扱い易い。特に計量の目盛りが、全周に設けても良い。全周に突起があれば、計量キャップ２０が開口部１１から抜きやすい利点と、傾いても正確に計量できるなどのメリットがある。
【００２３】
図４は、実施形態２における計量キャップ２０への充填と、計量の図面である。
実施形態２の計量キャップは、蓋が、反転してキャップ容量を可変できるキャップである。計量部と蓋は嵌合されたものであっても、一体に作られたものであってもかまわない。図４−１は、計量キャップに充填している状況を示す図で、この蓋３０はゴムやエラストマーで出来ている。
供給口２１、あるいは開口部１１から内容物４が計量キャップ２０に充填される。
この容器を倒立した充填時には、内容物が粉体、あるいは粒体なので、供給口２１、あるいは開口部１１から先には流れ出ない。その為、それらの高さまでしか充填しない。
この時、蓋の反転可能なドーム状の反転部３３０は、外側に起き上がっている状態で保持している。
この図では容器の開口部１１の先端は、計量キャップの供給口２１で覆われているが、必ずしも覆っていなくてもかまわない。ただ、このように、開口部１１の先端を、供給口２１で覆うと、容器と供給口の嵌合部分に内容物が付着し難いなどのメリットがある。
また、実施形態２に使用する容器本体は、実施形態１と同じでも良いが、図４−１で示すように、ブローボトルでも良い。
【００２４】
図４−２は、計量キャップに内容物を充填した後、容器全体を正立させた状態である。計量キャップの蓋側に充填された計量内容物４０は、正立させることで、計量部３側に移
動する。
この時、容器の開口部１１が供給周縁部２１１よりも高いと、計量内容物４０が供給周縁部２１１より高い位置まで入ってしまい、それでも、内容物は容器側に戻ることが出来ない恐れがある。
その場合、計量キャップ２０を容器から外した場合、計量内容物４０がこぼれ落ちてしまい、計量した内容物が減り、計量の意味がなくなってしまう。
そこで、計量部の供給口高さは、開口部周縁よりも確実に高いようにする。それによって、この図のように、容器の開口部１１の先端を、計量キャップの供給口２１で覆ってしまうと、確実に供給口高さは、開口部周縁よりも高くすることができる。
【００２５】
できれば、計量部の全体容量から供給口容積を引いた容量の半分になる高さよりも、供給口高さｂが高いことが好ましい。なぜなら、供給口高さｂが、計量部の全体容量から供給口容積を引いた容量の半分になる高さより低いと、計量部容量の半分以上に充填されてしまう。それは、この図４−２のように正立させた時に、内容物の高さが、供給口高さよりも高くなってしまう。もちろん、供給口高さよりも内容物が高く入っていれば、軽く容器全体を振ることで、供給口や開口部から、高さ以上に入っていた内容物を戻すことが出来る。しかし、内部が見にくい事、手間が掛かる、ドーム状の反転部３３０が単に反転しただけでは供給口を覆えず、更に押してつぶす必要があるなどの問題が発生しかねないからである。
【００２６】
図５−１は、充填・計量後、蓋のドーム状反転部３３０を指で押し下げて、反転させた状態を示す。
蓋３０は弾性体であるゴムやエラストマーで出来ていて、反転させた反転部３３０は供給周縁部２１１に接し、計量室を容器内部から隔離する。
【００２７】
図５−２は、反転部３３０が反転させ、計量室を容器内部から隔離した状態で、容器１００の開口部１１から計量キャップ２０を外す工程を示す。
この実施形態２では、ネジで容器と嵌合しているので、計量キャップ全体を回転させて外している。
【００２８】
図６−１は、計量された計量キャップを上下反対にして、供給口２１を上側に移動した状態を示す。
ここで、反転部３３０を押している指を外し、反転部が元の位置に戻る。すると、計量内容物４０は、供給口のまわりに収納されていたが、計量内容物４０は下側になった反転部３３０近傍に落下する。
【００２９】
図６−２は、計量内容物４０を収納している計量キャップの反転部３３０から、内容物を排出する例を示す。
例えば、入浴剤などの内容物の場合、湯中に内容物を収納している計量キャップを入れる。湯の中で、計量キャップの反転部３３０を上下に動かし、計量キャップの容量を変化させると、内部に入ってきた湯と内容物が混ざり、それを続けると、次第に内容物が拡散されて、供給口２１から内容物を排出できる。
排出し終わった計量キャップ２０は、乾燥させて、再度容器の開口部に戻す。
【００３０】
図６−３で示すように、実施形態２においても、反転部のみ２色成形でエラストマーにした蓋３００を製造したり、計量部２を透明樹脂で製造すれば、周囲に目盛り２３を設け、計量することができる。
【００３１】
実施形態１に用いられる計量部２や蓋３は透明の樹脂、例えばアクリロニトリル・スチレン樹脂、ポリメチルペンテン樹脂、環状ポリオレフィン樹脂などで成形されている。ス
モークを掛けた透明着色樹脂でもかまわない。ヒンジ部は、成形ヒンジとして記載したが、嵌合でヒンジを作ってもかまわない。
【００３２】
本発明の計量キャップの実施形態２に使用される計量部２は射出成形で製造することができる。
実施形態１と同じように、計量部２は透明な樹脂、例えばアクリロニトリル・スチレン樹脂、ポリメチルペンテン樹脂、環状ポリオレフィン樹脂、直鎖状ポリエチレン樹脂、エチレン・ポリプロピレン共重合樹脂などで成形する。また、剛性もあることが好ましい。さらに、無色でなく、スモークを掛けた透明着色樹脂でもかまわないし、混入率が低くければ、不透明樹脂と混ざったマーブル調の樹脂成形品であってもかまわない。
基本的には、実施形態２の計量部２は、射出成形で製造できる。
【００３３】
本発明の計量キャップで、実施形態２における蓋３も射出成形や圧縮成形で製造することができる。もちろん、計量部もヒンジで繋ぎ、一体で作ることも可能である。
反転部３３に用いられる弾性体は、天然ゴム、イソプレンゴム、ブタジエンゴム、スチレン・ブタジエンゴム、クロロプレンゴム、ニトリルゴム、ブチルゴム、エチレンプロピレンゴム、アクリルゴム、ウレタンゴム、シリコーンゴムなどのゴム類、ポリエステル系エラストマー、スチレン系エラストマー、オレフィン系エラストマー、ウレタン系エラストマーなどの熱可塑性エラストマー類であってもかまわない。
そして、図６−３でも図示したように、蓋３の反転部３３０のみ熱可塑性エラストマーにし、他の部分を透明樹脂の２色射出成形であってもかまわない。
実施形態２の計量キャップをゴムやエラストマーで一体に作ってもかまわない。それらは、ブロー成形や回転成形でも作ることが出来る。
【００３４】
本発明に使用される容器本体１は、紙製であっても、プラスチックの成形品であってもかまわない。いずれであっても、内面に使用される材料としては、内容物によって犯されない樹脂であって、容器全体としては、剛性がある材料が良い。
紙を基材とする容器本体の場合、内面は低密度ポリエチレンなどを貼り合せたものが好ましく、開口部を有する固定蓋１１０は、ホットメルトなどで接着するなどの方法が考えられる。
もし、射出成形であれば、低密度ポリエチレン、直鎖状低密度ポリエチレン、中密度ポリエチレン、高密度ポリエチレン、エチレン・プロピレン共重合体、アクリロニトリル、アクリロニトリル・ブタジエン・スチレン共重合樹脂などが考えられる。その場合、容器本体１の開口部と固定蓋１１０の下端にアンダーカットを設け、嵌合させる。
もちろん、実施形態２で示したように、ブロー成形容器であってもかまわないし、射出ブロー成形、延伸ブロー成形のボトルであってもかまわない。
【００３５】
本発明の計量キャップは、以上のようなものであり、本発明の計量キャップは、容器全体を倒立させ、内容物４は開口部１１を通って、毎回、計量部２に充填されるが、通常はそのままで一定の量を計量できるだけではなく、排出量を必要な量に調整する計量も可能な計量キャップである。
しかも、一度容器を倒立させる必要はあるが、何回も倒立する必要はなく、計量後は、計量キャップ２を容器本体から外し、排出可能なので、重い内容物であっても、手間が少ないなど、本発明のメリットは大きい。
【符号の説明】
【００３６】
１・・・・・・・・・容器本体
１１・・・・・・・・開口部
２・・・・・・・・・計量部
２０・・・・・・・・計量キャップ
２００・・・・・・・計量領域
２１・・・・・・・・供給口
２１１・・・・・・・供給周縁部
２１２・・・・・・・嵌合部
２２・・・・・・・・計量部周縁
２３・・・・・・・・計量目盛
３・・・・・・・・・蓋
３０・・・・・・・・ヒンジ
３１・・・・・・・・インナーリング
３２・・・・・・・・鍔
４・・・・・・・・・内容物
４０・・・・・・・・計量内容物
【図１】
2016094203.tif 000003
【図２】
2016094203.tif 000004
【図３】
2016094203.tif 000005
【図４】
2016094203.tif 000006
【図５】
2016094203.tif 000007
【図６】
2016094203.tif 000008